(57)【要約】【課題】機械式の図柄変動表示装置における開店時等において、確実に原点検出を行うことができ、かつ原点検出のために適用される確認用停止図柄に起因した遊技者への違和感を解消する。【解決手段】機械式の特別図柄表示装置３３８を適用した場合において、電源投入時に原点パルス信号に基づいて、確認用図柄で停止制御を実行したことで起こり得る、開店時の全パチンコ機３００が同一の確認用図柄（当たり図柄）で停止することを、原点位置確認後の擬似抽選（外れ確定）により解消するようにしたため、開店後も確認用図柄のまま報知され、遊技者に違和感を感じさせ、稼動率の低下を招くことを防止することができる。また、停電復帰時に当たり図柄で停止した場合に、遊技者に当たりでもないのに当たり図柄となるという不快感を与えることも防止することができる。【選択図】        図６
2004254898.tif 000002
【特許請求の範囲】
【請求項１】
遊技盤面上に設けられた始動口への遊技球の入賞を契機に抽選が実行され、当該抽選の結果を所定の変動パターン演出後の停止図柄によって報知する機械駆動式の図柄変動表示装置を備え、前記抽選が当りの場合に遊技者に有利な遊技状態となる遊技機であって、
前記図柄変動表示装置が、
周面に図柄が付与された移動体と、
前記移動体を駆動する駆動手段と、
前記移動体の原点位置を検出する原点位置センサと、
電源投入時に、前記駆動手段を制御して移動体を駆動させ、この駆動中に前記原点位置検出センサによる原点位置検出を実行する原点位置検出実行手段と、
前記原点位置検出実行手段による原点位置検出後に、前記移動体の図柄を予め定めた確認用図柄で停止させる確認用図柄停止制御手段と、
前記確認用停止図柄制御手段による確認用図柄の停止後に、前記抽選を実行する疑似抽選実行手段と、
を有する遊技機。
【請求項２】
前記疑似抽選実行手段が、確認用図柄の停止後の所定時間、或いはスイッチ操作によって実行されることを特徴とする請求項１記載の遊技機。
【請求項３】
遊技盤面上に設けられた始動口への遊技球の入賞を契機に抽選が実行され、当該抽選の結果を所定の変動パターン演出後の停止図柄によって報知する機械駆動式の図柄変動表示装置を備え、前記抽選が当りの場合に遊技者に有利な遊技状態となる遊技機であって、
前記図柄変動表示装置が、
周面に図柄が付与された移動体と、
前記移動体を駆動する駆動手段と、
前記移動体の原点位置を検出する原点位置センサと、
電源投入時に擬似的な前記抽選を実行する疑似抽選実行手段と、
前記疑似抽選実行手段の実行時における移動体の駆動中に前記原点位置センサによる原点位置検出を実行する原点位置検出実行手段と、
を有する遊技機。
【請求項４】
前記疑似抽選実行手段による抽選結果を常に外れとする外れ抽選制御手段をさらに有することを特徴とする請求項１乃至請求項３の何れか１項記載の遊技機。
【発明の詳細な説明】
【０００１】
【発明の属する技術分野】
本発明は、遊技盤面上に設けられた始動口への遊技球の入賞を契機に抽選が実行され、当該抽選の結果を所定の変動パターン演出後の停止図柄によって報知する機械駆動式の図柄変動表示装置を備え、前記抽選が当りの場合に遊技者に有利な遊技状態となる遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示装置を設置している。この表示装置は、ＬＣＤ等を用いた映像による電気式図柄表示形態と、回転ドラムや球体等（以下、移動体という）を用い、当該移動体の周面に付与された図柄を移動体の移動によって順次表示する機械式図柄表示形態とがある。
【０００４】
何れの表示形態であっても、複数の列（例えば３列）の図柄変動パターン画面が構成され、この変動する図柄変動パターン演出後に停止したときの図柄の並びで当／外を報知するようになっている。遊技者は、この図柄変動画面を見ることによって、当たりか外れかに一喜一憂するため、期待感を持たせることができる。
【０００５】
ところで、上記表示装置において、機械式図柄表示形態の場合、移動体の位置を常に把握しておく必要がある。このため、少なくとも１周回に１回移動体の位置を検出する原点検出手段を設けている。原点検出手段は、移動体側に設けたマークと、本体（固定）側に設けたマーク検出器で構成されており、１週回に１回マーク検出器でマークを検出した時点の移動体の状態を原点として登録する。これにより、間違いなく所定の図柄を遊技者に報知することができる。
【０００６】
ところが、閉店後に電源がオフされると、この原点位置の登録が抹消されてしまうことがある。このような場合、次の開店後の遊技者による遊技が開始されるまで（移動体の移動が開始されるまで）原点位置の把握ができない。これでは、遊技開始後に誤った駆動制御がなされることがあり得るため、店側と遊技者側とのトラブルの基になりかねない。
【０００７】
そこで、特許文献１では、開店直前の電源投入と同時に、移動体を動作させて原点位置を検出し、この原点位置検出に基づいて、予め定めた確認用図柄で停止させることが開示されている。確認用図柄としては、３列の図柄で報知する場合、例えば「７７７」のような同一の図柄（所謂当たり図柄）が揃うような状態で停止させる。
【０００８】
店員は、この停止図柄を確認することで、原点位置が確実に把握されていることを目視によって検査することができ、仮に確認用図柄で停止していないパチンコ機があった場合には、遊技者による遊技前に不良と診断することができる。
【０００９】
【特許文献１】
特許第２６７６１９６公報
【００１０】
【発明が解決しようとする課題】
しかしながら、上記特許文献１では、開店後に遊技者が遊技しない限り、確認用図柄がそのままになってしまい、遊技者からみれば、通常ではあり得ない停止図柄を敬遠して、台離れが起こる可能性があり、稼働率の低下を招くことがある。
【００１１】
また、上記制御が開店直前の検査のときであればよいが、バックアップ機能を持たないパチンコ機における停電復帰時にも実行されてしまうことになる。このような場合、停電復帰後に当たり図柄で停止するため、遊技者と店側との間のトラブルの原因となる。
【００１２】
また、停電によって所謂ＲＡＭクリア（今までの遊技状態がリセットされてしまうこと）されたと誤判断することもあり得る。
【００１３】
本発明は上記事実を考慮し、機械式の図柄変動表示装置における開店時等において、確実に原点検出を行うことができ、かつ原点検出のために適用される確認用停止図柄に起因した遊技者への違和感を解消することができる遊技機を得ることが目的である。
【００１４】
【課題を解決するための手段】
請求項１に記載の発明は、遊技盤面上に設けられた始動口への遊技球の入賞を契機に抽選が実行され、当該抽選の結果を所定の変動パターン演出後の停止図柄によって報知する機械駆動式の図柄変動表示装置を備え、前記抽選が当りの場合に遊技者に有利な遊技状態となる遊技機であって、前記図柄変動表示装置が、周面に図柄が付与された移動体と、前記移動体を駆動する駆動手段と、前記移動体の原点位置を検出する原点位置センサと、電源投入時に、前記駆動手段を制御して移動体を駆動させ、この駆動中に前記原点位置センサによる原点位置検出を実行する原点位置検出実行手段と、前記原点位置検出実行手段による原点位置検出後に、前記移動体の図柄を予め定めた確認用図柄で停止させる確認用図柄停止制御手段と、前記確認用停止図柄制御手段による確認用図柄の停止後に、前記抽選を実行する疑似抽選実行手段と、を有している。
【００１５】
請求項１に記載の発明によれば、電源が投入されると、まず、移動体を駆動する。原点位置検出実行手段では、この駆動中に原点位置センサによって原点位置を検出する。
【００１６】
原点位置を検出した後は、確認用図柄停止制御手段では、移動体を確認用図柄で停止するように制御する。
【００１７】
この状態で、店員は停止図柄を目視確認することで、原点位置が確実に検出されたことを検査することができる。
【００１８】
ここで、確認用図柄の停止後、このままの状態では、全ての遊技機において確認用図柄となり、このまま遊技者の遊技がなされないと、その後の遊技者が敬遠し、稼働率の低下を招くことがある。また、バックアップ機能を持たない遊技機の場合、遊技者はＲＡＭクリアされたと誤解する場合がある。
【００１９】
そこで、請求項１では、確認用図柄の停止後、疑似抽選実行手段により疑似抽選を実行する。これにより、この疑似抽選後の停止図柄は、各遊技機によって異なり、通常の変わらない状態とすることができる。
【００２０】
請求項２に記載の発明は、前記請求項１に記載の発明において、前記疑似抽選実行手段が、確認用図柄の停止後の所定時間、或いはスイッチ操作によって実行されることを特徴としている。
【００２１】
請求項２に記載の発明によれば、確認用図柄が停止された後、店員による目視確認時間を確保するべく、所定時間はこの確認用図柄の停止状態を維持する。或いは、確認後に店員がスイッチ操作を行うことで、疑似抽選実行手段が作動するようにすればよい。
【００２２】
請求項３に記載の発明は、遊技盤面上に設けられた始動口への遊技球の入賞を契機に抽選が実行され、当該抽選の結果を所定の変動パターン演出後の停止図柄によって報知する機械駆動式の図柄変動表示装置を備え、前記抽選が当りの場合に遊技者に有利な遊技状態となる遊技機であって、前記図柄変動表示装置が、周面に図柄が付与された移動体と、前記移動体を駆動する駆動手段と、前記移動体の原点位置を検出する原点位置センサと、電源投入時に擬似的な前記抽選を実行する疑似抽選実行手段と、前記疑似抽選実行手段の実行時における移動体の駆動中に前記原点位置センサによる原点位置検出を実行する原点位置検出実行手段と、
を有している。
【００２３】
請求項３記載の発明によれば、電源が投入されると、疑似抽選実行手段において、疑似的な抽選を実行する。この疑似的な抽選によって移動体の駆動が開始される。この移動体の駆動中に、原点位置検出実行手段では、原点位置センサによって原点位置を検出する。
【００２４】
上記原点位置を検出した後、移動体が停止されるのは、抽選結果に基づくものであるため、それぞれの遊技機によって停止図柄が異なり、遊技者に違和感を与えることがない。
【００２５】
また、停電復帰時においても、特定の図柄で停止されるといったことがなく、各遊技機単位でランダムに図柄が停止するため、遊技者と店側との間でトラブルが発生するようなことがない。
【００２６】
請求項４に記載の発明は、前記請求項１乃至請求項３の何れか１項記載の発明において、前記疑似抽選実行手段による抽選結果を常に外れとする外れ抽選制御手段をさらに有することを特徴としている。
【００２７】
請求項４に記載の発明によれば、疑似抽選実行手段による抽選結果は、基本的に外れを予測しているが、所定の確率（例えば、１／３５０前後）で当たる可能性がある。この疑似抽選で当たりとなると、遊技者に違和感を与えるため、抽選結果を外れとする外れ抽選制御手段をさらに設けることで、不具合を解消することができる。
【００２８】
【発明の実施の形態】
「第１の実施の形態」
図１には、本発明の一実施の形態に係るパチンコ機３００が示されている。パチンコ機３００は外枠３０２を備え、外枠３０２の前面には、窓部を有する額縁状の内枠３０４の一側部（図１の左辺部）が開閉可能に取付けられている。
【００２９】
内枠３０４には、複数の表示灯３０６やフロントスピーカ３０８、３１０が設けられている。また、内枠３０４の中央には、窓部となっており、この窓部には紙面奥行き方向に所定の間隔で互いに平行とされた一対のガラス３１２（二重構造）が装着されたガラス枠３１４が設けられている。また、内枠３０４の図１の右辺部には施錠装置（シリンダ）３１６が設けられている。
【００３０】
ガラス枠３１４の下方位置には、球皿部３１８を備えた一体皿３２０が配設されている。この一体皿の球皿部３１８には、貯球タンク（図示省略）と連通し、この貯球タンク内のパチンコ球を球皿部３１８へ流出させる連通口３２２が設けられている。
【００３１】
一体皿３２０は、その一側部（図１の左辺部）が内枠３０４に対して開閉可能に取付けられている。一体皿３２０の前面には、左側下部に灰皿３２４が配置され、右側下部には発射装置３６４（図３参照）から発射する打球の飛距離を調整するための発射ハンドル３２６が設けられている。
【００３２】
また内枠３０４の窓部には、遊技盤載置台に載せて交換可能とされた遊技盤３２８が窓部に対応して設置されている。
【００３３】
図２に示される如く、遊技盤３２８は、外バンド３３０及び内バンド３３２によって囲まれた略円形状の遊技領域３３４が形成されている。
【００３４】
遊技領域３３４には、図示しない釘や風車の他、センター役物３３６、当該センター役物３３６に設けられた特別図柄表示装置３３８、並びに大入賞口（変動入賞装置）３４０等の役物、始動口３４２や通過装置３４４、入賞装置３４６等の遊技部品が取り付けられており、最下位置にアウト口３４８が配置されている。
【００３５】
なお、特別図柄表示装置３３８の詳細構成については、後述する。
【００３６】
図３には、パチンコ機３００を制御するための制御系の概略が示されている。制御系は、主制御基板３５０を中心として、払出制御基板３５２、音声制御基板３５４、ランプ制御基板３５６、発射制御基板３５８、図柄表示制御基板３６０等、機能毎に分類されている（なお、以下これらを総称する場合、副制御基板３５１という）。
【００３７】
なお、主制御基板３５０並びに副制御基板３５１は、管理制御基板３５３を介してパチンコ店側のホールコンピュータ３５５に接続することにより、パチンコ機の稼動状況を管理することも可能となっている。
【００３８】
主制御基板３５０には、遊技に関する基本的なプログラムが記憶されており、この主制御基板３５０からの命令信号に基づいて、その他の副制御基板３５１が独自に実行する。
【００３９】
払出制御基板３５２は、払出賞球装置３６２を制御して、球貸し時の払出し、入賞時の賞球に応じてパチンコ球を払い出すものであり、音声制御基板３５４は、パチンコ機３００に設けられたフロントスピーカ３０８、３１０からの効果音等の出力を制御する。また、ランプ制御基板３５６は、パチンコ機３００に取り付けられた複数の表示灯３０６の点灯・消灯を制御し、発射制御基板３５８は、発射装置３６４を制御して、遊技者による発射ハンドル３２６の操作に応じてパチンコ球を打ち出す。
【００４０】
図柄表示制御基板３６０は、前記特別図柄表示装置３３８と接続されており、主制御基板３５０からの命令信号に基づいて、所定の演出効果をもたらす表示を実行する。
【００４１】
前記主制御基板３５０には、始動口３４２に設けられた始動入賞センサ３６８、通過装置３４４を通過したパチンコ球を検出する通過センサ３７１或いは入賞装置３４６に入賞したパチンコ球を検出する入賞センサ３７２、並びに大入賞口３４０に入賞したパチンコ球を検出する大入賞口センサ３７３が接続されている。なお、大入賞口３４０には、大入賞口の開閉動作を継続するためのＶゾーンが設けられており、このＶゾーンにもＶゾーンセンサ３７７が設けられており、主制御基板３５０に接続されている。
【００４２】
また、この主制御基板３５０には、始動口３４２に設けられた電動チューリップ３４３を開閉させるためのソレノイド３７４、大入賞口３４０を開閉させるためのソレノイド３７５が接続されている。
【００４３】
また、主制御基板３５０では、特別図柄や普通図柄の当／外抽選がなされ、この抽選結果に基づく特別図柄表示装置３３８での表示内容を選択し、図柄表示制御基板３６０へ命令信号を出力する。すなわち、図柄表示制御基板３６０には、複数種の命令信号に基づく異なる表示内容のデータが予め記憶されており、命令信号に基づいてデータが選択されて、起動するようになっている。
【００４４】
なお、図示は省略したが、遊技盤３２８に設けられる普通図柄表示装置や保留ランプ等も主制御基板３５０によって制御されるようになっている。
（特別図柄表示装置の詳細構成）
図４及び図５には特別図柄表示装置３３８が示されている。特別図柄表示装置３３８は、図４に示されるような板状のベース１４０を備えている。ベース１４０の中央部には貫通孔１４２を有するボス１４４が形成されており、貫通孔１４２には金属製の薄肉パイプからなる支軸１４６が圧入・固着されている。
【００４５】
この支軸１４６の軸心を示した軸線Ｖ２は、センター役物３３６（図２参照）がパチンコ機３００に搭載された際にパチンコ機３００の前後方向と略平行な向き、遊技盤３２８面に対しては略垂直な向きとなる。
【００４６】
この支軸１４６には、基端側（図４に示す後方矢印側）に回転体支持ユニット１４８が回転可能に取り付けられ、先端側（図４に示す前方矢印側）に円弧状の歯車部材１５０が圧入・固着されている。
【００４７】
回転体支持ユニット１４８は、回転体支持ユニット１４８の基部側を構成する回転体支持部材１５２と、回転体支持部材１５２に組み付けられる回転位置検出部材１５４とを備えている。
【００４８】
回転体支持部材１５２は、支軸１４６の径寸法よりも若干大径とされて支軸１４６へ挿入される筒体１５６を備えている。筒体１５６の外周面先端部には環状の周リブ１５８が一体的に設けられており、周リブ１５８の外周面には歯車部１６０が形成されている。また、筒体１５６内周面の前後端部に設けられた凹段部には一対のベアリング１６２Ａ、１６２Ｂがそれぞれ嵌め入れられている。
【００４９】
また、周リブ１５８の先端からは腕部１６４が突設されており、この腕部１６４は、回転体支持部材１５２の軸心（図４の組立状態では軸心が軸線Ｖ２と重なる）に対して外側に所定角度傾斜している。さらに、その傾斜された腕部１６４内面の先端部には円形凸状の受け座１６６が設けられており、受け座１６６の中央部には貫通孔１６８が形成されている。
【００５０】
一方、回転位置検出部材１５４は、筒体１７０及び筒体１７０の外周面基端部に一体的に設けられた円板状の回転位置検出板１７２を有し、筒体１７０が回転体支持部材１５２の筒体１５６に外挿・圧入され固着されて回転体支持部材１５２に一体化されている。また、回転位置検出板１７２の外周端部には複数のスリット１７４（図５参照）が周方向に所定の間隔で形成されている。このスリット１７４を投光部及び受光部で挟むように光電センサ（図５参照）１７５が設けられており、回転位置検出板１７２の回転を光電センサ１７５の検出信号（パルス信号）で認識することができるようになっている。
【００５１】
そしてこの回転体支持ユニット１４８を、回転体支持部材１５２の筒体１５６内に設けられた一対のベアリング１６２Ａ、１６２Ｂを支軸１４６に挿入して取り付けると、回転体支持ユニット１４８は、一対のベアリング１６２Ａ、１６２Ｂを介して支軸１４６に軸線Ｖ２回りに回転可能に支持される。
【００５２】
さらにその状態では、回転体支持部材１５２の歯車部１６０には、ステッピングモータ１７６のモータ軸１７８に固着された駆動歯車１８０が噛み合い、ステッピングモータ１７６から回転駆動力が伝達されるようになっている。
【００５３】
なお、このステッピングモータ１７６は、図柄表示制御基板３６０からの制御信号によって回転駆動及び停止されるようになっている。
【００５４】
これにより、ステッピングモータ１７６から回転体支持部材１５２の歯車部１６０に回転駆動力が伝達されると、回転体支持ユニット１４８は軸線Ｖ２回りに回転し、その回転位置制御については、回転位置検出板１７２のスリット１７４を光電センサ１７５で検出し、図柄表示制御基板３６０がその検出タイミング情報と表示制御プログラム等に基づいて制御信号を生成しステッピングモータ１７６を駆動制御することで行われる。
【００５５】
他方、歯車部材１５０は、歯車部材１５０の基部となって支軸１４６に挿入される筒体１８２を備えている。筒体１８２の外周面先端部には、かさ歯車１８４が一体的に設けられており、このかさ歯車１８４は、図４に示すように前側に湾曲した曲面形状とされている。また、この歯車部材１５０が支軸１４６に取り付けられることにより、回転体支持ユニット１４８が支軸１４６から抜け出さないよう取り付けられている。
【００５６】
また、回転体支持部材１５２の腕部１６４には支軸１８６が取り付けられている。支軸１８６は、一端部に形成されたねじ部１８８が腕部１６４の受け座１６６側から貫通孔１６８に挿入され、貫通孔１６８を挿通したねじ部１８８先端に平ワッシャ１９０が通されナット１９２が螺合されることにより、回転体支持部材１５２の腕部１６４に固定されている。これにより、支軸１８６は、その軸心を通る軸線Ｈ２が軸線Ｖ２に対し所定角度傾いて軸線Ｖ２と交差している。
【００５７】
この支軸１８６には、図示のような略半球状の回転体１９４が取り付けられている。
【００５８】
この回転体１９４の前方に向けられた面には、凸球面状の透明レンズ部２１４に覆われている。
【００５９】
この回転体１９４は樹脂成形品で中空とされ、半球切断面となる円形開口１９６側は、球面から接線方向に沿って少し延出され円筒状（図４に示される断面形状としては平行）に形成されており、この延出部分を円筒状とすることで成形時の型抜きを可能としている。
【００６０】
回転体１９４の内周面１９４Ａの頂部には、筒状の軸部１９８が一体的に設けられている。この軸部１９８の軸心は、回転体１９４の仮想中心Ｏ２と回転体１９４の頂点とを結ぶ軸線（図４に示す組立状態では軸線Ｈ２）上に配置されている。また、軸部１９８の先端は円形開口１９６の周縁に揃えられており、その先端面には歯車部材２００が固着されている。
【００６１】
歯車部材２００は、軸部１９８と同径の筒体２０２を備え、筒体２０２の外周面一端部には他端側に湾曲した球面状のかさ歯車２０４が設けられている。この筒体２０２の他端部が軸部１９８に接合されることで、歯車部材２００は軸部１９８と同軸的に配置されて回転体１９４に一体化されている。
【００６２】
そして回転体１９４は、図４に示すように、歯車部材２００の筒体２０２及び軸部１９８が支軸１８６に挿入されて支軸１８６に軸線Ｈ２回りに回転可能に支持され、支軸１８６の先端部に形成された周溝２０６に平ワッシャ２０８を介してＥリング２１０が嵌め込まれることにより、支軸１８６から抜け出さないよう取り付けられている。
【００６３】
またその状態では、回転体１９４の仮想中心Ｏ２は軸線Ｖ２と軸線Ｈ２の交点にセットされ、歯車部材１５０のかさ歯車１８４は回転体１９４の内側に配置されて、かさ歯車１８４には歯車部材２００のかさ歯車２０４が噛み合う。
【００６４】
さらに支軸１８６も、先端部は一部突出するがその先端部を除く基端側全てが回転体１９４の内側に配置される。
【００６５】
またこれにより、支軸１８６は回転体１９４の非表示側に配置された円形開口１９６を介して回転体支持部材１５２に支持される。
【００６６】
また、この回転体１９４の外周面１９４Ｂには、複数の図柄が印刷又はラベル等によって設けられている。それら複数の図柄は、軸線Ｈ２回りの周方向に所定の間隔で配列されている。
（通電開始時の原点位置検出のための構成）
上記構成の複数のパチンコ機３００が設置されたホール（パチンコ店）では、開店時に全てのパチンコ機３００への電源を投入し、閉店後に全てのパチンコ機３００への電源を遮断する。
【００６７】
電源が遮断されると、上記のような機械式の特別図柄表示装置３３８では、自身の位置が全くわからなくなってしまうため、電源投入時に再度原点位置を把握する必要がある。
【００６８】
このような原点位置検出のための制御は、図柄表示制御基板３６０において実行されるようになっており、図６はこの原点位置検出に関しての機能のみを抽出した制御ブロック図を示している。
【００６９】
主制御基板３５０（図３参照）からは、通電信号が原点検出用駆動制御部１０に入力されるようになっており、この通電信号の入力をトリガとして、原点検出用駆動制御部１０では、モータ駆動パルス出力部１２へ駆動開始信号を送出する。
【００７０】
この駆動開始信号に基づいて、モータ駆動パルス出力部１２では、モータドライバ１４を制御して、ステッピングモータ１７６の駆動を開始する。
【００７１】
ステッピングモータ１７６の駆動が開始すると、前記回転位置検出板１７２が回転し、光電センサ１７５からパルス信号が原点パルス判定部１６へ送出される。
【００７２】
原点パルス判定部１６では、前記パルス幅の異なる３６０°毎のパルス信号を検出し、検出信号を確認用図柄読出部１８へ送出する。
【００７３】
確認用図柄読出部１８には、確認用図柄ステップ数メモリ２０が接続されており、前記検出信号の入力に基づいて確認用図柄ステップ数が読み出され、リセット信号に続き、この読み出された確認用図柄ステップ数をモータ駆動パルス出力部１２へ送出する。
【００７４】
これにより、モータ駆動パルス出力部１２では、入力された確認用図柄ステップ数をカウントした時点で、ステッピングモータ１７６を停止させる。
【００７５】
ここで、第１の実施の形態では、この確認用図柄が表示されている状態でホールが開店することを回避するため、所定時間経過後に主制御基板３５０における抽選を擬似的に実行するようにしている（擬似抽選）。
【００７６】
なお、ここで言う所定時間とは、原点検出のために確認用図柄を停止させる制御時間（約１分程度）と、店員が全てのパチンコ機３００の図柄の状態を確認するのに十分な時間との和である。例えば１つの島を見回るのに１〜２分程度とし、１０の島を２名の店員で確認した場合、約１１〜１２分に設定すればよい。
【００７７】
この所定時間は、電源が投入された後、主制御基板３５０で計時し、自動的に擬似抽選を実行するようになっている。なお、擬似抽選では、あくまでも外れ抽選である必要があり、仮に当たりの乱数値を抽選してしてしまった場合には、意図的に乱数値を＋１する等の処置が必要となる。
【００７８】
以下に第１の実施の形態の作用を説明する。
【００７９】
まず、通常遊技の流れを説明する。
【００８０】
遊技者が発射ハンドル３２６を把持し、発射のための操作を行なうと、このハンドル操作量（回転量）に応じた強度で、パチンコ球が打ち出される。
【００８１】
パチンコ球が打ち出されると、外バンド３３０及び内バンド３３２に案内されて盤面３２８の釘や風車等に当接しながら、予測し得ない移動をしながら落下していく。ここで、始動口３４２にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、特別図柄表示装置３３８に図柄変動パターンを表示する（表示動作については後述）。この図柄変動パターンにおいては、リーチを経由した当り、外れリーチ、リーチを経由しない外れ等、様々な演出があり、遊技者は期待感をもって抽選結果を待つことができる。
【００８２】
抽選の結果が当りの場合は、予め設定したラウンド数（例えば、１５ラウンド）の大当たり処理が実行される。この大当たり処理中は、大入賞口３４０がほとんど開放状態であるため、遊技者によって有利な状態とすることができる。所定ラウンドの大当たり処理が終了すると、通常の遊技に戻る。
（特別図柄表示装置の動作）
次に、特別図柄表示装置３３８の動作ついて説明する。表示装置制御基板からの制御信号によりステッピングモータ１７６が駆動されると、
回転体１９４が軸線Ｈ２を中心に自転しながら、軸線Ｖ２を中心に公転し、複雑な動きをする。
【００８３】
このように、第１の実施の形態の特別図柄表示装置３３８では、回転体１９４が支軸１８６に軸支されて軸線Ｈ２回りに回転・停止可能とされ、さらに支軸１８６を取り付けた回転体支持部材１５２が軸線Ｈ２と交差する軸線Ｖ２回りに回転・停止可能とされている．
このため、それら２つの軸線回りの回転・停止が組み合わせられた複雑な回転動作をし、それに伴う図柄の複数な動きが、透明レンズ部２１４を介して回転体１９４の表示側（前面側）を見る遊技者に観察される。
【００８４】
そして、回転体１９４に設けられた複数の図柄のうち、回転体１９４の前面側で停止された所定の図柄が遊技者に視認される。
【００８５】
さらにその表示図柄の向きは、各歯車の回転比の設定等により変更することができる。
【００８６】
したがって、この特別図柄表示装置３３８も、単純に１つの軸線回りに回転する回転体等に比べて多様であり、且つ、直交する２つの軸線回りに回転する回転体とも異なった趣向性の高い表示態様が得られる。また、第１の実施形態の特別図柄表示装置３３８は、単一駆動源（ステッピングモータ１７６）による簡単な構成で、回転体１９４の２つの軸線回りの回転動作を実現させている。
（通電開始軸受の原点位置検出動作）
原点位置の検出は、ステッピングモータ１７６の駆動し、光電センサ１７５からの検出信号に基づいて実行される。
【００８７】
すなわち、ステッピングモータ１７６が駆動して、回転体１９４が回転すると、回転位置検出板１７２のスリット１７４を検出する毎に、パルス信号が発生する。このとき、予め３６０°の１箇所に幅広のスリット１７４を設けておくことで、３６０°単位で、パルス幅の異なる信号を得ることができる。
【００８８】
一方、ステッピングモータ１７６はパルス数（ステップ数）を指定することで、停止位置を決めており、パルス幅の異なる信号の立ち上がり時の表示されるべき確認図柄（例えば、当たり図柄の「７７７」等）に対応するステップ数を予め記憶しておき、原点位置を検出した時点で、前記記憶したステップ数を読み出し、このステップ数分ステッピングモータ１７６を駆動して停止させる。
【００８９】
この状態で停止され、表示されている図柄が目的の確認図柄であれば、原点位置検出は正常に完了したことになる。
【００９０】
上記の原点位置検出のための流れを含み、第１の実施の形態の特徴である開店時における図柄の変更処理制御について、図７及び図８のフローチャートに従い説明する。
【００９１】
まず、図７において、図柄表示制御基板３６０における電源投入時原点位置検出制御ルーチンについて説明する。
【００９２】
ステップ３０では、ステッピングモータ１７６を駆動して回転体１９４を始動させる。
【００９３】
次のステップ３２では、光電センサ１７５から出力されるパルス信号から原点パルスを検出したか否かが判断され、否定判定されると、ステップ３４へ移行して所定時間（回転体１９４の数回転分に相当）が経過したか否かが判断され、肯定判定された場合には、回転体１９４の回転等になんらかの異常があるか、光電センサ１７５等に不具合があると判断し、ステップ３６へ移行してエラー処理を実行する。また、ステップ３４で否定判定の場合には、ステップ３２へ戻る。
【００９４】
ステップ３２で肯定判定されるとステップ３８へ移行し、リセット信号を出力し、次いでステップ４０へ移行して確認用図柄に相当するステップ数を読み出し、ステップ４２でこの確認用図柄に相当するステップ数でステッピングモータ１７６の駆動を停止する。
【００９５】
この状態で原点検出が正常に行われていれば、回転体１９４は、予め設定した確認用図柄が表示された状態で停止しており、これをホールの店員が目視で確認をすることができる。
【００９６】
一方、主制御基板３５０では、前記電源投入時に擬似抽選処理が実行される。
【００９７】
すなわち、図８に示される如く、ステップ５０では、タイマーがスタートし、次のステップ５２で所定時間経過したか否かが判断される。この所定時間は、前記原点位置検出のための確認用図柄の停止制御時間と、その後のホールの店員の確認時間との和に相当する。
【００９８】
なお、このタイマーによる処理ではなく、前記図７の原点位置検出制御と店員による確認が終了した時点で、店員の起動操作によって、ステップ５４以降の処理を開始させるようにしてもよい。
【００９９】
ステップ５２で肯定判定されると、ステップ５４において抽選（乱数カウンタからの乱数値取得）が実行される。
【０１００】
次のステップ５６は、当たり値が読み出され、次いでステップ５８で取得した乱数値と当たり値との比較がなされ当たりか否かが判断される。
【０１０１】
このステップ５８で肯定判定、すなわち当たりになった場合には、擬似抽選として好ましくないため、ステップ６０へ移行して取得した乱数値を＋１増加し、ステップ５８に戻り、再度当たり値と比較する。すなわち、ステップ５８で必ず外れとなるまで、ステップ６０を繰り返す。
【０１０２】
ステップ５８で否定判定、すなわち外れと判定されると、ステップ６２へ移行して、図柄表示制御基板３６０へ図柄変動のための命令信号を出力し、このルーチンは終了する。なお、命令信号としては、通常の外れ図柄で停止する命令信号であればよいが、最も短時間で停止する図柄変動パターンが好ましい。
【０１０３】
なお、上記では、電源投入直後の原点位置検出について説明したが、停電後の復帰動作においても適用可能である。すなわち、パチンコ機３００がバックアップ機能を持たない場合には、原点位置もクリアにされてしまう場合があるため、停電復帰時に上記動作を行うことで、停電復帰後においても図柄変動制御に異常が生じることがない。
【０１０４】
また、確認図柄の停止後、擬似抽選を行うため、遊技者がＲＡＭクリア（履歴抹消）されてしまったのではないかという猜疑心が持つことはなく、店側とのトラブルを未然に防止することができる。
【０１０５】
以上説明したように、第１の実施の形態では、機械式の特別図柄表示装置３３８を適用した場合において、電源投入時に原点パルス信号に基づいて、確認用図柄で停止制御を実行したことで起こり得る、開店時の全パチンコ機３００が同一の確認用図柄（当たり図柄）で停止することを、原点位置確認後の擬似抽選（外れ確定）により解消するようにしたため、開店後も確認用図柄のまま報知され、遊技者に違和感を感じさせ、稼動率の低下を招くことを防止することができる。また、停電復帰時に当たり図柄で停止した場合に、遊技者に当たりでもないのに当たり図柄となるという不快感を与えることも防止することができる。
【０１０６】
なお、第１の実施の形態では、機械式の特別図柄表示装置３３８として２軸で自転及び公転する回転体１９４を例にとり説明したが、ドラム等の他の機械式の特別図柄表示装置においても適用可能である。
【０１０７】
また、上記で説明した回転体１９４は、単一モータで２軸回転を実現したが、２個ノステッピングモータを用いて、各軸回転を実現するようにしてもよい。
【０１０８】
「第２の実施の形態」
上記第１の実施の形態では、電源が投入されるとステッピングモータ１７６の駆動を開始し、原点位置を検出のために確認用図柄で一旦停止させて、所定時間（或いはスイッチ操作）後に疑似抽選を行うようにしたが、確認用図柄を店員の目視による判断ではなく、センサによる自動判断（例えば、ＣＣＤセンサで確認用図柄を撮像し、予め記憶されている画像との照合による適否の判断）を行うようにすれば、電源投入後、直ちに疑似抽選を行い、この疑似抽選の結果報知のための回転体１９４の回転中に原点位置を検出するようにしてもよい。以下、図９及び図１０のフローチャートに従い、第２の実施の形態の原点位置検出制御ルーチンを説明する。
【０１０９】
図９は、電源が投入時に主制御基板３５０で起動されるルーチンであり、まずステップ５４Ａで抽選（乱数カウンタからの乱数値取得）が実行される。
【０１１０】
次のステップ５６Ａは、当たり値が読み出され、次いでステップ５８Ａで取得した乱数値と当たり値との比較がなされ当たりか否かが判断される。
【０１１１】
このステップ５８Ａで肯定判定、すなわち当たりになった場合には、擬似抽選として好ましくないため、ステップ６０Ａへ移行して取得した乱数値を＋１増加し、ステップ５８Ａに戻り、再度当たり値と比較する。すなわち、ステップ５８Ａで必ず外れとなるまで、ステップ６０Ａを繰り返す。
【０１１２】
ステップ５８Ａで否定判定、すなわち外れと判定されると、ステップ６２Ａへ移行して、図柄表示制御基板３６０へ図柄変動のための命令信号を出力し、このルーチンは終了する。
【０１１３】
図１０は、前記図９のステップ６２Ａでの命令信号受けて起動する原点検出専用の図柄変動ルーチンであり、まず、ステップ３０Ａでは、ステッピングモータ１７６を駆動して回転体１９４を始動させる。
【０１１４】
次のステップ３２Ａでは、光電センサ１７５から出力されるパルス信号から原点パルスを検出したか否かが判断され、否定判定されると、ステップ３４Ａへ移行して所定時間（回転体１９４の数回転分に相当）が経過したか否かが判断され、肯定判定された場合には、回転体１９４の回転等になんらかの異常があるか、光電センサ１７５等に不具合があると判断し、ステップ３６Ａへ移行してエラー処理を実行する。また、ステップ３４Ａで否定判定の場合には、ステップ３２Ａへ戻る。
【０１１５】
ステップ３２Ａで肯定判定されるとステップ３８Ａへ移行し、リセット信号を出力し、次いでステップ４０Ａへ移行して確認用図柄に相当するステップ数を読み出し、ステップ４２Ａでこの確認用図柄に相当するステップ数でステッピングモータ１７６の駆動を停止する。
【０１１６】
この状態で原点検出が正常に行われていれば、回転体１９４は、予め設定した確認用図柄が表示された状態で停止しており、これをＣＣＤセンサ等で撮像し、予め記憶されている画像との照合を行うことで、原点位置検出が正常か否かを判断することができる（ステップ６４、６６）。
【０１１７】
ステップ６６で異常と判定（否定判定）された場合には、ステップ３６Ａへ移行してエラー処理を実行する。また、ステップ６６で正常と判定（肯定判定）された場合には、ステップ６８へ移行して、主制御基板３５０から入力された命令信号に基づいて図柄変動パターンを読み出し、次いでステップ７０へ移行して、ステッピングモータ１７６を再始動し、所定の図柄変動パターン演出後に停止させる（ステップ７２）。
【０１１８】
【発明の効果】
以上説明した如く本発明では、機械式の図柄変動表示装置における開店時等において、確実に原点検出を行うことができ、かつ原点検出のために適用される確認用停止図柄に起因した遊技者への違和感を解消することができるという優れた効果を有する。
【図面の簡単な説明】
【図１】第１の実施の形態（及び第２の実施の形態）に係るパチンコ機の正面図である。
【図２】第１の実施の形態（及び第２の実施の形態）に係る遊技機の正面図である。
【図３】第１の実施の形態（及び第２の実施の形態）に係るパチンコ機における制御系のブロック図である。
【図４】第１の実施形態（及び第２の実施の形態）に係る回転表示装置に取り付けられた状態の表示機を示した水平断面図である。
【図５】第１の実施形態（及び第２の実施の形態）に係る表示機の要部を示した分解斜視図である。
【図６】第１の実施の形態に係る原点位置検出制御の機能ブロック図である。
【図７】第１の実施の形態に係る図柄表示制御基板における原点位置検出制御ルーチンを示すフローチャートである。
【図８】第１の実施の形態に係る主制御基板における擬似抽選制御ルーチンを示すフローチャートである。
【図９】第２の実施の形態に係る主制御基板における擬似抽選制御ルーチンを示すフローチャートである。
【図１０】第２の実施の形態に係る図柄表示制御基板における原点位置検出制御ルーチンを示すフローチャートである。
【符号の説明】
１０    原点検出用駆動制御部
１２    モータ駆動パルス出力部
１４    モータドライバ
１６    原点パルス判定部
１８    確認用図柄読出部
２０    確認用図柄ステップ数メモリ
１７２    回転位置検出板
１７５    光電センサ（原点位置センサ）
１７６    ステッピングモータ（駆動手段）
１９４    回転体（移動体）
３００    パチンコ機（遊技機）
３３８    特別図柄表示装置（図柄変動表示装置）
３４２    始動口
３５０    主制御基板（擬似抽選実行手段、外れ抽選制御手段）
３６０    図柄表示制御基板（原点位置検出実行手段）
【図１】
2004254898.tif 000003
【図２】
2004254898.tif 000004
【図３】
2004254898.tif 000005
【図４】
2004254898.tif 000006
【図５】
2004254898.tif 000007
【図６】
2004254898.tif 000008
【図７】
2004254898.tif 000009
【図８】
2004254898.tif 000010
【図９】
2004254898.tif 000011
【図１０】
2004254898.tif 000012